(57)【要約】      （修正有）【課題】放射性セシウムを含む焼却灰から放射性セシウムを削減する方法を提供する。また放射性セシウムを含む水の安全な保管方法を提供する。【解決手段】加熱容器が最下部に、抽出容器が中間部に、凝縮器が最上部に配置された装置において、前記抽出容器に放射性セシウムを含む焼却灰を投入し、前記加熱容器に水を収納した後に、（Ａ）前記加熱容器を加熱して水蒸気を発生させ、（Ｂ）前記水蒸気を前記凝縮器で冷却して凝縮水を生成し、（Ｃ）前記凝縮水を前記抽出容器に供給し、（Ｄ）前記抽出容器に一定量の水が溜まった時にその水を加熱容器に排出し、（Ｅ）放射性セシウムを水に溶解した状態で前記加熱容器に蓄積させる、工程を繰り返し、焼却灰に含まれる放射性セシウムを削減する方法、及び放射性セシウムを含む水が高吸水材に吸収されて固相状態で容器に充填されていることを特徴とする放射性セシウムを含む水の保管方法。【選択図】図２
2014085330.tif 000002
【特許請求の範囲】
【請求項１】
ヒーターを備え且つ水を収容できる加熱容器が最下部に配置され、放射性セシウムを含む焼却灰を収容できる濾材を備え且つ水を収容できる抽出容器が中間部に配置され、水蒸気を冷却して凝縮させる凝縮器が最上部に配置された装置であって、前記凝縮器は前記加熱容器で発生した水蒸気を凝縮し、前記凝縮器で生成した凝縮水は前記抽出容器に供給され、前記抽出容器の水は前記濾材を経由して前記加熱容器に供給されるように構成された装置において、前記抽出容器に放射性セシウムを含む焼却灰を投入し、前記加熱容器に水を収納した後に、
（Ａ）前記加熱容器を加熱して水蒸気を発生させ、
（Ｂ）前記水蒸気を前記凝縮器で冷却して凝縮水を生成し、
（Ｃ）前記凝縮水を前記抽出容器に供給し、
（Ｄ）前記抽出容器に一定量の水が溜まった時にその水を加熱容器に排出し、
（Ｅ）放射性セシウムを水に溶解した状態で前記加熱容器に蓄積させる、
工程を繰り返すことを特徴とする、焼却灰に含まれる放射性セシウムの削減方法。
【請求項２】
前記焼却灰が６０メッシュの篩下であることを特徴とする請求項１に記載の焼却灰に含まれる放射性セシウムの削減方法。
【請求項３】
前記加熱容器で発生した水蒸気または前記凝縮器の凝縮水を前記装置外に排出する排出手段を備えたことを特徴とする請求項１に記載の焼却灰に含まれる放射性セシウムの削減方法。
【請求項４】
放射性セシウムを含む水が高吸水材に吸収され、固相状態で保管容器に充填されていることを特徴とする放射性セシウムを含む水の保管方法。
【請求項５】
前記放射性セシウムを含む水が、前記加熱容器に溜まった水であることを特徴とする請求項４に記載の放射性セシウムを含む水の保管方法。
【発明の詳細な説明】
【技術分野】
【０００１】  本発明は、放射性セシウムで汚染された環境において発生する被焼却物の焼却灰中に含まれる放射性セシウムの削減方法及び放射性セシウムを含む水の保管方法に関する。
【背景技術】
【０００２】  福島第一原発の事故により大量の放射性物質が福島県のみならず周辺地域にまき散らされた。それらの地域の生活ゴミや瓦礫を焼却する焼却炉からは高濃度の放射性セシウムを含む焼却灰が排出されているが、その後の適切な処理方法がなく、焼却灰は袋に充填されて生活環境の一部に山積みになっている状態であり、今後も増え続けると予想される。セシウム１３７の半減期は３０年、セシウム１３４は２年であり人体への影響が懸念され、これらの放射性セシウムを含む焼却灰の減容化あるいはそれらを生活環境から排除することがその地域にとっての喫緊の課題である。放射性物質がまき散らされるという状況は本来あり得べからざることであり、そのような状況を想定した技術の開発は従来ほとんどなかったと言ってよい。事故を起こした福島第１原発では、大量の汚染水から放射性セシウム等を吸着させた吸着材が容器に詰められて、原発敷地内に保管されている。吸着材はゼオライト系と推定されるがゼオライト系吸着剤のセシウムの吸着率は低く、吸着率向上による吸着体の減容化が望まれている。【０００３】  セシウムに関連する特許文献として以下があげられる。特許文献１は、ルビジウムを含むセシウム鉱石から有機溶剤を使って効率よくセシウムを抽出する方法である。【０００４】  特許文献２は、放射性物質を環境から取りこんだ生物を爆砕によって細胞レベルまで微粉化し、その微粉の表面に剥き出しになった放射性物質を水に溶解させ、更にその水中の放射性物質を吸着材に吸着させる方法である。【０００５】  特許文献３は、水に溶解したセシウムをプルシアンブルー型の吸着材に吸着した後、吸着体に印加することによって脱着するセシウムを回収するというものである。【０００６】  特許文献４は、放射性の固体廃棄物を溶融ガラスと混合してガラスに封じ込めるプロセスにおいて、組成の異なるガラス剤を用いて再度ガラス固化する放射性廃棄物の固化処理方法に関する。【０００７】  特許文献５は、放射性物質を、高炉スラグとポルトランドセメントなどの固化材を用いて固化する固化方法に関する。
【先行技術文献】
【特許文献】
【０００８】
【特許文献１】特開平５−５１３４号公報
【特許文献２】特許第５０１８９８９号公報
【特許文献３】特開２０１１−２００８５６号公報
【特許文献４】特開平９−７２９９８号公報
【特許文献５】特開平９−２１１１９４号公報
【発明の概要】
【発明が解決しようとする課題】
【０００９】  本発明の第一の目的は、焼却灰から放射性セシウムを削減して焼却灰を安全に生活環境に戻せるようにすることである。また本発明の第二の目的は、焼却灰から取り除いた放射性セシウムを生活環境に影響を及ぼさないよう安全に保管することである。
【課題を解決するための手段】
【００１０】  本発明者は、上記課題について鋭意検討した結果、下記の発明を完成するに至った。請求項１に係る発明は、ヒーターを備え且つ水を収容できる加熱容器が最下部に配置され、放射性セシウムを含む焼却灰を収容できる濾材を備え且つ水を収容できる抽出容器が中間部に配置され、水蒸気を冷却して凝縮させる凝縮器が最上部に配置された装置であって、前記凝縮器は前記加熱容器で発生した水蒸気を凝縮し、前記凝縮器で生成した凝縮水は前記抽出容器に供給され、前記抽出容器の水は前記濾材を経由して前記加熱容器に供給されるように構成された装置において、前記抽出容器に放射性セシウムを含む焼却灰を投入し、前記加熱容器に水を収納した後に、
（Ａ）前記加熱容器を加熱して水蒸気を発生させ、
（Ｂ）前記水蒸気を前記凝縮器で冷却して凝縮水を生成し、
（Ｃ）前記凝縮水を前記抽出容器に供給し、
（Ｄ）前記抽出容器に一定量の水が溜まった時にその水を加熱容器に排出し、
（Ｅ）放射性セシウムを水に溶解した状態で前記加熱容器に蓄積させる、
工程を繰り返すことを特徴とする、焼却灰に含まれる放射性セシウムの削減方法である。
請求項２に係る発明は、前記焼却灰が６０メッシュの篩下であることを特徴とする請求項１に記載の焼却灰に含まれる放射性セシウムの削減方法である。
請求項３に係る発明は、前記加熱容器で発生した水蒸気または前記凝縮器の凝縮水を前記装置外に排出する排出手段を備えたことを特徴とする請求項１に記載の焼却灰に含まれる放射性セシウムの削減方法である。
請求項４に係る発明は、放射性セシウムを含む水が高吸水材に吸収されて固相状態で容器に充填されていることを特徴とする放射性セシウムを含む水の保管方法である。
請求項５に係る発明は、前記放射性セシウムを含む水が、前記加熱容器に溜まった水であることを特徴とする請求項４に記載の放射性セシウムを含む水の保管方法である。
【発明の効果】
【００１１】  一般的に焼却灰にはナトリウム、カリウム、カルシウムなどのアルカリ性の金属類を含むので焼却灰を水で抽出するとその抽出水は高いアルカリ性を示す。放射性セシウムは水に溶解するとアルカリ性を示す金属なので、抽出水のｐＨが高いと水側に抽出され難い。請求項１に係る発明によれば、抽出容器に供給される水は加熱容器からの蒸発水なのでナトリウム、カリウム、カルシウムなどの不純物は含まずｐＨは中性であり、また放射性セシウムも含まないため、焼却灰から放射性セシウムを効率良く水側に抽出し、焼却灰を生活環境において自由に処理できるようにするという効果を有する。【００１２】  焼却灰には、焼却炉の炉底に残る焼却残渣である主灰と燃焼ガスに同伴されて集塵機で捕捉される飛灰がある。また、集塵機を備えていない小規模焼却炉の場合は、飛灰は発生せず、焼却残渣である疑似主灰が発生する。いずれの場合も焼却灰は、被焼却物の原型はとどめず微細化されることが多い。しかし、焼却灰は野積みされることや袋に詰めて多段に重ねて保管されることにより固化することがある。請求項２に係る発明によれば、炉から排出された焼却灰だけでなく、固化した焼却灰を粉砕等の手段によって微細化したものも含めて、６０メッシュの篩下を使うことを特徴としている。請求項２の発明は、微細化された焼却灰を使うことによって、放射性セシウムが水に抽出され易くなるという効果を有する。【００１３】  請求項３に係る発明によれば、加熱容器で発生した水蒸気または凝縮器の凝縮水を前記装置外に排出することによって加熱容器の水中の放射性セシウムの濃度を調節できるという効果を有する。水蒸気や凝縮水を系外に排出することによって、加熱容器の水中の放射性セシウム濃度は高くなり、保管すべき放射性セシウムを含む水の自在な減容化が可能となる。また、水中の放射性セシウムの濃度を自在に調整できることは、その後の放射性セシウムを含む水の処理方法に対する適応の幅が広がるという効果も有する。【００１４】  請求項１から請求項３に係る発明によれば、放射性セシウムを含むものを液体の状態で取り扱いできる点が、その後の取り扱いの利便性に優れている。例えば、図１の加熱容器１の加熱容器液排出弁（２４）から図２の角型保管容器１８あるいは図３のフレキシブルコンテナー型保管容器２０に、人手をかけず、配管で移送することができる。放射性物質を取り扱う工程は可能な限り無人化することが肝要である。【００１５】  請求項４は、放射性セシウムを含む水を高吸水剤によって固相状態にして容器に保管するものである。固相状態とは、物質の状態を気相、液相、固相、の三態に分けたときの固相の状態をいう。固相にはゲル状態も含まれる。放射性セシウムを含む水をそのまま容器に保管した場合、容器が劣化すると放射性セシウムを含んだ水が容器外に流出し環境汚染の原因となるが、請求項４に係る発明によれば水が固相状態にあることによって容器外への流出を防止できるという効果を奏する。【００１６】  また水は放射線を遮蔽する性質があるため、水中の放射性セシウムは、同じ濃度（ベクレル／ｋｇ）の固体中のセシウムよりも空間線量（マイクロシーベルト値）は低くなるので、それらを取り扱う作業者に対する影響が少なくなるという効果を有する。【００１７】  請求項５は、放射性セシウムを含む水は請求項１または請求項３に記載の加熱容器に溜まった水を高吸水剤によって固相状態にして容器に保管するものであって、容器が劣化した場合に放射性セシウムを含んだ水が容器外に流出し環境汚染の原因となることを防止するという効果を奏するものである。また、本発明においては放射性セシウムの濃度を自在に高濃度化できるので、特許文献４や特許文献５に記載されているような放射性物質をセメントやガラスで固化する場合に比べると、減容化という点において従来の方法よりはるかに優れていると言える。
【図面の簡単な説明】
【００１８】
【図１】焼却灰の放射性セシウム抽出装置概略図
【図２】放射性セシウムを含む水を高吸水剤に含ませて角型の保管容器に保管した状態の保管容器の側面断面図
【図３】放射性セシウムを含む水を高吸水剤に含ませてフレキシブルコンテナー型の保管容器に保管した状態の保管容器の側面断面図
【発明を実施するための最良の形態】
【００１９】  以下本発明について詳細に説明する。
セシウムはアルカリ金属であって基本的に水に溶解する性質を有するが、土壌などの自然にまき散らされた状態においては他の元素と複雑に絡み合っていて容易に水には溶けださない。しかし、焼却灰のように１０００℃前後の高温と酸素、二酸化炭素あるいは生活ゴミなどの被焼却物に含まれる塩素化合物などに曝されるとセシウムは酸化セシウム、炭酸セシウム、水酸化セシウムあるいは塩化セシウムなどとなって水に溶け出すようになる。また被焼却物は焼却炉内で元の形状が崩れて微粉化されるので水と接触したときに放射性セシウムが水に溶出し易い。本発明は焼却灰のこのような性質に着眼し有効に利用したものである。【００２０】  本発明の放射性セシウム除去の概要は次のとおりである。加熱容器を加熱して水蒸気を発生させ、水蒸気が最上部の冷却管に送られて生成した凝縮水は、抽出容器に供給され焼却灰と接触し焼却灰中の放射性セシウムを溶かしこんだ後、濾材を経由して加熱容器に戻る。凝縮器で凝縮した水は、ナトリウム、カリウム、カルシウムなどのアルカリ性の金属を含まず、また放射性セシウムを含まないので放射性セシウムを効率よく抽出することができる。放射性セシウムは水よりはるかに沸点が高いため蒸発せず加熱容器内に残るので、上記サイクルを繰り返すことによって加熱容器内には放射性セシウムが濃縮される。【００２１】  加熱容器は、外部に高温の熱媒（油あるいは高圧スチーム）を供給できるジャケット付きの容器、あるいは容器の内部に熱媒を循環させるパイプを備えたもの、電気式の加熱コイルを備えたものや超音波を使ったものなど、加熱容器内の水を間接的に加熱できるものであればどんな形式のものでもよい。【００２２】  本発明の抽出器に供給される水は、加熱容器から蒸発してくる水を凝縮したものであるから、沸点が水よりもはるかに高い放射性セシウムは含まれていないので、焼却灰からの放射性セシウムの抽出能力は高く維持される。また、この水が抽出容器に一定量収容された焼却灰の全量を浸漬する程度に溜まった時、抽出容器の炉材を経由して加熱容器へ水が排出されるので、焼却灰の全量が万遍なく水に洗われる。水の排出は、抽出容器の液レベルと連動した自動開閉弁を経由してもよく、あるいはサイフォンの原理を使って、抽出容器の液面が一定の液面になったとき抽出容器内の液を一度に排出することを繰り返すシステムでもよい。【００２３】  本発明の凝縮器は、加熱容器から蒸発してきた水蒸気を水で間接的に冷却する。凝縮した水は抽出器に供給され、焼却灰から放射性セシウムを抽出する。このとき、凝縮水の温度は高い方が焼却灰中の放射性セシウムを抽出し易い。従って、凝縮器は凝縮水の温度を調整できるように構成されることが望ましい。【００２４】  環境省で定められた“放射性物質汚染対象特措法“には、８０００Ｂｑ／ｋｇを超える放射性物質を含む廃棄物の処理方法についての留意点が記載されている。また厚生労働省で定められた“除染等業務に従事する労働者の放射線障害防止のためのガイドライン“には、１万ベクレル／ｋｇ以上の放射性物質を含む廃棄物を扱う作業者の留意点が記載されている。本発明は、それらの法的基準に適宜対応して保管すべき水に含まれる放射性セシウムの濃度を調��することができる。例えば、本発明の装置全体が自動化によって無人化されたり、装置全体が完全に遮蔽化されたりした場合は、放射性セシウムの濃度を１万Ｂｑ／ｋｇを超える濃度にまで濃縮し、放射性セシウムを含む水の自在な減容化を図ることが可能である。また、加熱容器内の水中の放射性セシウム濃度を、作業者の健康に配慮して１万Ｂｑ／ｋｇ以下にする必要がある場合は、本発明における加熱器への水の投入量の調節によって目的の濃度に薄めることができる。【００２５】  水は放射線を遮蔽する性質があるため、水中の放射性セシウムは、同じ濃度（ベクレル／ｋｇ：Ｂｑ／ｋｇ）の固体中のセシウムよりも空間線量（マイクロシーベルト値）は低いので、人体に対する影響は小さい。従って、同じ濃度（Ｂｑ／ｋｇ）であれば、放射性セシウム吸着した固形の吸着体よりも、水に溶解した放射性セシウムの方が人体に対する放射線の影響は小さい。【００２６】  固体は微粒子化されるほど表面積が大きくなり、その中に含まれる放射性セシウムは水に抽出され易くなるので、本発明請求項１乃至３の発明で処理される焼却灰の粒径は小さい方がよく、６０メッシュ以下が好ましく、より好ましくは１００メッシュ以下である。【００２７】  放射性セシウムを含む水を減容化するためには、高吸水剤は少なくとも自重と同量以上の水を吸収するものがよい。好ましくは自重の１０倍以上、より好ましくは自重の１００倍以上の水を吸収するものがよい。自重の１０倍以上の吸水剤としてアクリル酸塩系樹脂、ポリアミノ酸系樹脂、セルロース系樹脂などがある。アクリル酸塩系は生分解性が低くポリアミノ酸系、セルロース系は生分解性が高い。また、アクリル酸塩系及びポリアミノ酸系は吸水倍率が高いが、セルロース系はやや低い。放射性セシウムを含む水の保管は長期に及ぶので、請求項４及び５の発明においては、生分解性が低く吸水倍率の高いアクリル酸塩系の高吸水剤を使用することが好ましい。また、焼却灰中の塩分が水の吸収に影響する場合は、耐塩性の高吸水剤が好ましい。【００２８】  保管容器は放射線を遮蔽する材料で構成されていることが望ましい。特に、加熱容器に溜まった水が高度に減容化されて、放射性セシウムが数１０万あるいは数百万Ｂｑ／ｋｇとなった場合、放射線が保管容器外に漏れないような遮蔽材を使った保管容器が必要である。
【実施例１】
【００２９】  以下、実施例により、本発明をより具体的に説明する。【００３０】  図１の抽出装置を使って実施した。木質燃料型焼却炉（いわき市遠野興産（株））の炉底から取り出した灰の６０メッシュ篩下の放射性セシウム２７８０Ｂｑ／ｋｇ（１３４Ｃｓ１０３０＋１３７Ｃｓ１７５０）を含む焼却灰（１７）２３．２ｇを抽出機（２）の円筒濾紙（６）に充填し上部を脱脂綿でカバーした。内容積２００ｍｌの加熱容器（１）に蒸留水１００ｇ及び沸石としてモレキュラーシーブを少量を投入した。抽出機（２）の円筒濾紙（６）に蒸留水５０ｇを入れた。冷却器（アリーン型）３の冷却水調節弁（９）を全開にして冷却水を流し、ヒーター（４）（１００Ｖ、５００Ｗ）の電源（５）を入れた。加熱容器（２）から蒸発した水蒸気が凝縮器（３）で凝縮し凝縮水が抽出容器に流れ込み、抽出容器（２）が満液になると、抽出液が一度に加熱容器に排出された。凝縮液（１５）の温度は５０℃であった。加熱容器、凝縮器、抽出器の間を水が還流する状態を２４時間継続した後、加熱容容器の電源を切った。加熱容器が室温になってから抽出容器（２）の焼却灰の入った円筒濾紙（６）を取り出し、６０℃の乾燥機内で減量が確認できなくなるまで２日間乾燥した。乾燥後の重量は１７．９ｇ、放射性セシウム濃度（Ｂｑ／ｋｇ）は、計２９３（１３４Ｃｓ１１６＋１３７Ｃｓ１７７）であった。また加熱容器（１）内の水は９０ｍｌ、ｐＨ＝１３．５、放射性セシウム濃度（Ｂｑ／ｋｇ）は２９０２（１３４Ｃｓ１０９１＋１３７Ｃｓ１８１１）であった。
【比較例１】
【００３１】  実施例１で使用した焼却灰２３．５ｇと蒸留水１５０ｇを３００ｍｌのナス型フラスコに投入した後、ナス型フラスコの口部にジムロート型冷却器を装着し冷却器に水を流した。ナス型フラスコをオイルバスに浸漬し、フラスコ内を撹拌しながら、オイルバスの温度を１３０〜１４０℃、フラスコ内の液温を１００℃にして、水がフラスコと冷却器間を還流している状態で、２４時間放置した。フラスコを冷却した後、ナス型フラスコ内のスラリーをひだ折り濾紙で濾過した。濾過灰を実施例１と同様に乾燥した。濾過灰の乾燥後の重量は１９．５ｇ、放射性セシウム濃度（Ｂｑ／ｋｇ）は、計７０２（１３４Ｃｓ２６９＋１３７Ｃｓ４３３）であった。濾液は１０６ｍｌ、ｐＨ＝１３．５、濾液の放射性セシウム濃度（Ｂｑ／ｋｇ）は、計３７２（１３４Ｃｓ１３４＋１３７Ｃｓ２３８）であった。
【実施例２】
【００３２】  実施例１において、加熱容器、凝縮器、抽出器の間を水が還流する状態を２４時間継続した後、水蒸気排出弁（１８）を解放し、加熱容器（１）の液面が低下してから加熱容器（１）の電源を切った。その他は実施例１と同様に行った。抽出容器（２）の焼却灰を取りだし乾燥した後の重量は１９．９ｇ、放射性セシウム濃度（Ｂｑ／ｋｇ）は、計２９６（１３４Ｃｓ１１１＋１３７Ｃｓ１７１）であった。また加熱容器（１）内の水は５０ｍｌｇ、ｐＨ＝１３．６、であった。また加熱容器（１）内の水は２０ｍｌ、ｐＨ＝１３．６、放射性セシウム濃度（Ｂｑ／ｋｇ）は７２５５（１３４Ｃｓ２７２７＋１３７Ｃｓ４５２８）であった。【００３３】（比較例２）
実施例１において、木質燃料型焼却炉（いわき市遠野興産（株））の炉底から取り出した灰の１６メッシュの篩下（放射性セシウム濃度（Ｂｑ／ｋｇ）：計２６３１（１３４Ｃｓ９７５＋１３７Ｃｓ１６５６）を焼却灰（１７）として用いた以外は実施例１に準じて行った。抽出器（２）の焼却灰を取りだし乾燥した後の重量は２２．２ｇ、放射性セシウム濃度（Ｂｑ／ｋｇ）は、計６５０（１３４Ｃｓ２５７＋１３７Ｃｓ３９３）であった。また加熱容器（１）内の水は９２ｍｌ、放射性セシウム濃度（Ｂｑ／ｋｇ）は、計３８９（１３４Ｃｓ１４０＋１３７Ｃｓ２４９）であった。
【実施例３】
【００３４】  実施例１で得られた加熱容器（１）内の水３０ｍｌを入れたビーカーに、三洋化成製超吸水剤アクアパールＳＡＰを０．１ｇ入れた。３０分後、水はゲル状となって、ビーカーから取り出しても水が流れ出ることはなかった。【００３５】（実施例及び比較例のまとめ）
実施例１と比較例１より、使用した焼却灰量と水量及び加熱温度（１００℃）が同じであっても、焼却灰中の放射性セシウムの抽出率は、実施例１では（１−１７．９×２９３／２３．３／２７８０）×１００＝９１．２％、比較例２では、（１−９０×６３３／２３．５／２７８０）×１００＝７８．６％であり本発明の実施例１の方法が有効であることは明らかである。【００３６】  実施例２において、焼却灰は、放射性セシウム濃度が２７８０Ｂｑ／ｋｇから２９６Ｂｑ／ｋｇに減少したことによってこれを環境中で自由に処理可能となった。また抽出水が１０ｍｌ、放射性セシウム濃度７２５５Ｂｑ／ｋｇ、となったことは、焼却灰約４７ｍｌ（２３．２ｇ：見かけ比重約０．５）を１０ｍｌに減容化したことになる。本発明２は、抽出液中の水を蒸発させ、放射性セシウムを濃縮することにより焼却灰の自在な減容化が可能になることを示すものである。【００３７】  実施例３は、高濃度の放射性セシウム水溶液を、高吸水剤によって固相状態にできることを示すものである。水溶液として濃縮された放射性セシウムが固相状態にできれば、これを放射線遮蔽容器に入れて長期間保管したときに、容器が劣化したとしても水は外部に漏れ出さず、環境汚染を発生させないので放射性セシウムの保管方法として適切である。
【産業上の利用可能性】
【００３８】  本発明により、焼却灰中の放射性セシウムを効率よく水に抽出し、元の焼却灰は生活環境で自由に処理可能となる。放射性セシウムを抽出した水は、放射性セシウムの濃度を自由に調節して減容化でき、更にその抽出水は高吸水剤によって固相状態として容器に保管でき、容器が劣化しても水は容器外に漏れず、安全に保管することが可能となることから、自治体のごみ焼却施設等での利用が可能である。
【符号の説明】
【００３９】１    加熱容器
２    抽出容器
３    凝縮器
４    ヒーター（加熱コイル）
５    電源
６    濾布
７    水蒸発管
８    抽出液排出管
９    冷却水量調節弁
１０  水蒸気
１１  水蒸気
１２  冷却水入口
１３  冷却水出口
１４  大気解放
１５  凝縮水
１６  水
１７  焼却灰
１８  角型保管容器
１９  高吸水剤で固相状になった放射性セシウムを含む水
２０  フレキシブルコンテナーバッグ型保管容器
２１  高吸水剤で固相状になった放射性セシウムを含む水
２２  フレキシブルコンテナーバッグ型保管容器の封止口
２３  水蒸気排出弁
２４  加熱容器液排出弁
【図１】
2014085330.tif 000003
【図２】
2014085330.tif 000004
【図３】
2014085330.tif 000005